(57)【要約】本体（１４）および本体（１４）内に配置される画像化手段（３６）を備える多目的画像化装置（１０）であって、ここで、本体（１４）は、アダプター（１２）を解放可能に係合するように適合され、アダプター（１２）は、そのように係合される場合に、画像化手段（３６）の光軸（Ｘ）と整列する、それを通って延びる開口（１０８）を有し、その結果、光軸（Ｘ）の少なくとも一部は隠されず、ここで、アダプター（１２）は、診断目的のために、光軸（Ｘ）内の被験体を照らすための光学を有する。
2005524462.tif 000002
【特許請求の範囲】
【請求項１】
多目的画像化装置であって、以下：
本体；および
該本体内に収容された画像化手段、
を備え、
ここで、該本体が、アダプターと取り外し可能に係合するように適合され、該アダプターは、該アダプターを通って延びる開口を有し、そのように係合された場合、該画像化手段の光軸の少なくとも一部分が隠されないように、該開口が該画像化手段の光軸と整列し、そしてここで、該アダプターは、診断目的のために、該光軸内の物体を照射するための光学を有する、
装置。
【請求項２】
前記画像化手段がデジタルカメラである、請求項１に記載の多目的画像化装置。
【請求項３】
前記本体が、制御手段を有し、該制御手段が、前記アダプターの前記光学を制御するように作動可能である、請求項１または請求項２に記載の多目的画像化装置。
【請求項４】
請求項３に記載の多目的画像化装置であって、前記制御手段が、少なくとも１つの押しボタンを備え、前記光学が、少なくとも１つの光源を備え、該少なくとも１つの押しボタンを押すことが、該少なくとも１つの光源の作動をトグルする、装置。
【請求項５】
請求項３または請求項４に記載の多目的画像化装置であって、前記制御手段が、前記少なくとも１つの光源の明るさのレベルを制御するための少なくとも１つのゲインコントローラーをさらに備える、装置。
【請求項６】
請求項１〜５のいずれか１項に記載の多目的画像化装置であって、画像化手段によって取り込まれる画像を保存するためのリムーバブルメモリ手段をさらに備える、装置。
【請求項７】
前記本体が、手で運ばれるように適合されている、請求項１〜６のいずれか１項に記載の多目的画像化装置。
【請求項８】
本体および該本体内に収容された画像化手段を有する多目的画像化装置のためのアダプターであって、該アダプターは、以下：
診断目的のために、該画像化手段の光軸内で物体を照射するための光学；
該本外と取り外し可能に係合するための手段；および
そこを通って延びる開口、
を備え、
該本体と取り外し可能に係合した場合、該開口が、該光軸と整列し、その結果、該画像化手段の光軸の少なくとも一部分が隠されない、
アダプター。
【請求項９】
前記多目的画像化装置が、制御手段をさらに備え、前記光学が、該制御手段によって作動可能である、請求項８に記載のアダプター。
【請求項１０】
スリットランプとして機能するように配置された光学を有する、請求項８または請求項９に記載のアダプター。
【請求項１１】
前記配置された光学が、第１のスリットランプデバイスおよび第２のスリットランプデバイスを備える、請求項１０に記載のアダプター。
【請求項１２】
前記光学が、少なくとも１つの固体ランプによって生成される光のビームを含む、請求項１０または請求項１１に記載のアダプター。
【請求項１３】
前記光学が、狭いスリットを規定するための構造体を備え、前記光のビームが、該スリットを通過する場合、該狭いスリットによって側方が切り取られる、請求項１２に記載のアダプター。
【請求項１４】
前記構造体の位置が、前記狭いスリットの幅を対応して調整するように調整され得る、請求項１３に記載のアダプター。
【請求項１５】
前記狭いスリットの幅が、０．０８ｍｍである、請求項１３または請求項１４に記載のアダプター。
【請求項１６】
請求項１３〜１５のいずれか１項に記載のアダプターであって、前記光学が、前記狭いスリットと整列された集束手段をさらに備え、該集束手段が、前記側方が切り取られた光ビームを光のスリットに集束するように配置される、アダプター。
【請求項１７】
前記集束手段が、均一な半円断面のプリズムである、請求項１６に記載のアダプター。
【請求項１８】
前記光学が、前記物体にバックグラウンド照射を提供するための光源をさらに備える、請求項１０〜１７のいずれか１項に記載のアダプター。
【請求項１９】
請求項９に従属する請求項１０〜１８のいずれか１項に記載のアダプターであって、前記制御手段が、少なくとも１つの押しボタンを備え、該押しボタンが、前記スリットランプの作動をトグルするように作動可能である、アダプター。
【請求項２０】
請求項９に従属する請求項１０〜１９のいずれか１項に記載のアダプターであって、前記制御手段が、少なくとも１つのゲインコントローラーを備え、該ゲインコントローラーが、前記スリットランプにより生成された光のスリットの明るさを制御するように作動可能である、アダプター。
【請求項２１】
請求項１１に従属する、請求項１９または請求項１９に従属する請求項２０に記載のアダプターであって、前記制御手段が、第１の押しボタンおよび第２の押しボタンを備え、該第１の押しボタンが、前記第１のスリットランプデバイスの作動をトグルするように作動可能であり、該第２の押しボタンが、前記第２のスリットランプデバイスの作動をトグルするように作動可能である、アダプター。
【請求項２２】
請求項１８に従属する、請求項２０または請求項２０に従属する請求項２１に記載のアダプターであって、前記制御手段が、バックグランド照射を提供するために光源の明るさを制御するように作動可能なゲインコントローラーを備える、アダプター。
【請求項２３】
赤色反射を画像化するように配置された光学を有する、請求項８または請求項９に記載のアダプター。
【請求項２４】
前記光学が、前記開口内に収容されたビームスプリッター、および該ビームスプリッターに対して実質的に直角に配置された光源を備える、請求項２３に記載のアダプター。
【請求項２５】
前記ビームスプリッターにより分割される光の少なくとも一部分が、前記画像化手段の光軸に沿って反射される、請求項２４に記載のアダプター。
【請求項２６】
請求項２５に記載のアダプターであって、該アダプターは、前記ビームスプリッターにより反射されない、前記画像化手段の光軸に沿った光の少なくとも幾分かを、該画像化手段の光軸から伝達するために、前記光源と同じ面にあるさらなる開口を有する、アダプター。
【請求項２７】
請求項９に従属する請求項２４〜２６のいずれか１項に記載のアダプターであって、前記制御手段が、少なくとも１つの押しボタンを備え、該押しボタンが、前記光源の作動をトグルするように作動可能である、アダプター。
【請求項２８】
請求項９に従属する請求項２４〜２７のいずれか１項に記載のアダプターであって、前記制御手段が、少なくとも１つのゲインコントローラーを備え、該ゲインコントローラーが、前記光源の明るさを制御するように作動可能である、アダプター。
【請求項２９】
前記物体の蛍光を画像化するように配置された光学を有する、請求項８または請求項９に記載のアダプター。
【請求項３０】
前記光学が、青色光を生成する少なくとも１つの光源を備える、請求項２９に記載のアダプター。
【請求項３１】
前記光学が、複数の光源を備え、該複数の光源の各々が、青色光を生成し、該複数の光源が、前記物体が該青色光によって均一に照射されるように、前記アダプターの周りに配置される、請求項３０に記載のアダプター。
【請求項３２】
前記光学が、前記画像化手段の光軸の経路における開口内に受容される、少なくとも１つの黄色フィルターを備える、請求項２９〜３１のいずれか１項に記載のアダプター。
【請求項３３】
請求項９に従属する場合の、請求項３０〜３２のいずれか１項に記載のアダプターであって、前記制御手段は、少なくとも１つの押しボタンを備え、該押しボタンは、前記少なくとも１つの光源の作動をトグルするように作動可能である、アダプター。
【請求項３４】
請求項９に従属する場合の、請求項３０〜３３のいずれか１項に記載のアダプターであって、前記制御手段は、少なくとも１つのゲインコントローラーを備え、該ゲインコントローラーは、前記少なくとも１つの光源の明るさを制御するように作動可能である、アダプター。
【請求項３５】
涙液膜（ｔｅａｒ−ｆｉｌｍ）を画像化するように配置された光学を有する、請求項８または９に記載のアダプター。
【請求項３６】
前記光学が、開放端を有するシリンダーを備え、複数の光源は、該開放端の一端の周りで円周状に配置される、請求項３５に記載のアダプター。
【請求項３７】
前記光源が発光ダイオードである、請求項３６に記載のアダプター。
【請求項３８】
前記複数の光源の配置が、均一な光源が生成されるような配置である、請求項３６または３７に記載のアダプター。
【請求項３９】
請求項９に従属する場合の、請求項３６〜３８のいずれか１項に記載のアダプターであって、前記制御手段は、少なくとも１つの押しボタンを備え、該押しボタンは、前記複数の光源の作動をトグルするように作動可能である、アダプター。
【請求項４０】
請求項９に従属する場合の、請求項３６〜３９のいずれか１項に記載のアダプターであって、前記制御手段は、少なくとも１つのゲインコントローラーを備え、該ゲインコントローラーは、前記複数の光源の明るさを制御するように作動可能である、アダプター。
【請求項４１】
眼底カメラとして機能するように配置された光学を有する、請求項８または９に記載のアダプター。
【請求項４２】
前記光学が、前記開口内に受容されるビームスプリッターおよび該ビームスプリッターに対して実質的に直角に配置される光源を備える、請求項４１に記載のアダプター。
【請求項４３】
前記ビームスプリッターによって分割される光の少なくとも一部が、前記画像化手段の光軸に沿って反射される、請求項４２に記載のアダプター。
【請求項４４】
前記画像化手段の光軸に沿って反射された光が、二重凸面レンズによって集束されて、ヒトの眼の虹彩および水晶体を透過する、請求項４３に記載のアダプター。
【請求項４５】
前記画像化手段の光軸から離れて、該画像化手段の光軸に沿って前記ビームスプリッターによって反射されない少なくとも幾らかの光を伝達するために光源と同じ平面にさらなる開口を有する、請求項４２または４３に記載のアダプター。
【請求項４６】
請求項９に従属する場合の、請求項４２〜４５のいずれか１項に記載のアダプターであって、前記制御手段は、少なくとも１つの押しボタンを備え、該押しボタンは、前記光源の作動をトグルするように作動可能である、アダプター。
【請求項４７】
請求項９に従属する場合の、請求項４２〜４６のいずれか１項に記載のアダプターであって、前記制御手段は、少なくとも１つのゲインコントローラーを備え、該ゲインコントローラーは、前記光源の明るさを制御するように作動可能である、アダプター。
【請求項４８】
被験体のｎｉｂｕｔ画像を取るように配置された光学を有する、請求項８または９に記載のアダプター。
【請求項４９】
前記光学が、開放端を有するシリンダーを備え、複数の光源は、該開放端の一端の周りで円周状に配置される、請求項４８に記載のアダプター。
【請求項５０】
前記光源が発光ダイオードである、請求項４９に記載のアダプター。
【請求項５１】
前記複数の光源の配置が、均一な光源が生成されるような配置である、請求項４９または５０に記載のアダプター。
【請求項５２】
前記シリンダーが透明であり、かつ該シリンダーの内部表面がその上に印刷された格子パターンを有する、請求項４８〜５１のいずれか１項に記載のアダプター。
【請求項５３】
前記シリンダーが、その内部表面の周りで受容されるように適合され、フィルムはその上に印刷された格子パターンを有する、請求項４８〜５１のいずれか１項に記載のアダプター。
【請求項５４】
請求項９に従属する場合の、請求項４８〜５３のいずれか１項に記載のアダプターであって、前記制御手段は、少なくとも１つの押しボタンを備え、該押しボタンは、前記複数の光源の作動をトグルするように作動可能である、アダプター。
【請求項５５】
請求項９に従属する場合の、請求項４８〜５４のいずれか１項に記載のアダプターであって、前記制御手段は、少なくとも１つのゲインコントローラーを備え、該ゲインコントローラーは、前記複数の光源の明るさを制御するように作動可能である、アダプター。
【請求項５６】
歯科画像を捕捉するように配置された光学を有する、請求項８または９に記載のアダプター。
【請求項５７】
歯科鏡を受容するように適合された少なくとも１つの角度のついた開口をさらに備え、それにより、該歯科鏡の鏡部分は、前記画像化手段の光軸と交差する、請求項５６に記載のアダプター。
【請求項５８】
前記アダプターが、歯科鏡を受容するように適合された２つの角度のついた開口を有し、該２つの角度のついた開口は、該開口に対して互いに対向して配置される、請求項５７に記載のアダプター。
【請求項５９】
請求項９に従属する場合の、請求項５７または５８に記載のアダプターであって、前記制御手段は、少なくとも１つの押しボタンを備え、該押しボタンは、角度のついた開口内に受容される場合に、前記歯科鏡の鏡部分に向かって指向される光源の作動をトグルするように作動可能である、アダプター。
【請求項６０】
請求項５８に記載のアダプターであって、前記制御手段は、少なくとも１つのゲインコントローラーを備え、該ゲインコントローラーは、前記光源の明るさを制御するように作動可能である、アダプター。
【請求項６１】
耳鏡として機能するように配置された光学を有する、請求項８または９に記載のアダプター。
【請求項６２】
前記アダプターが取り外し可能な耳栓を備える、請求項６１に記載のアダプター。
【請求項６３】
前記取り外し可能な耳栓が、テーパー状の端部において開口を有し、前記光学が、光線を該開口を通って指向させて、耳の一部を照らす光源を備える、請求項６２に記載のアダプター。
【請求項６４】
前記光学が、前記光軸と交差するレンズおよび該光軸に沿って表示可能な画像を集束するための集束手段を備える、請求項６１〜６３のいずれか１項に記載のアダプター。
【請求項６５】
請求項９に従属する場合の、請求項６３または６４に記載のアダプターであって、前記制御手段は、少なくとも１つの押しボタンを備え、該押しボタンは、前記光源の作動をトグルするように作動可能である、アダプター。
【請求項６６】
請求項６３〜６５のいずれか１項に記載のアダプターであって、前記制御手段は、少なくとも１つのゲインコントローラーを備え、該ゲインコントローラーは、前記光源の明るさを制御するように作動可能である、アダプター。
【請求項６７】
皮膚科学画像を捕捉するように配置された光学を有する、請求項８または９に記載のアダプター。
【請求項６８】
前記光学が、開放端を有するシリンダーを備え、複数の光源は、該開放端の一端の周りで円周状に配置される、請求項６７に記載のアダプター。
【請求項６９】
前記光源が発光ダイオードである、請求項６８に記載のアダプター。
【請求項７０】
前記複数の光源の配置が、均一な光源が生成されるような配置である、請求項６７〜６９のいずれか１項に記載のアダプター。
【請求項７１】
前記光学が、前記画像化手段の光軸と交差するように配置された拡大レンズをさらに備える、請求項６７〜７０のいずれか１項に記載のアダプター。
【請求項７２】
請求項９に従属する場合の、請求項６８〜７１のいずれか１項に記載のアダプターであって、前記制御手段は、少なくとも１つの押しボタンを備え、該押しボタンは、前記複数の光源の作動をトグルするように作動可能である、アダプター。
【請求項７３】
請求項６８〜７２のいずれか１項に記載のアダプターであって、前記制御手段は、少なくとも１つのゲインコントローラーを備え、該ゲインコントローラーは、前記複数の光源の明るさを制御するように作動可能である、アダプター。
【請求項７４】
前記本体に解放可能に係合するための手段が、該本体内の溝に係合するように適合されたスナップクリップである、請求項８〜７３のいずれか１項に記載のアダプター。
【請求項７５】
多目的画像化システムであって、以下：
請求項１〜７のいずれか１項に記載の多目的画像化装置；
該多目的画像化装置に解放可能に係合する、請求項８〜７４のいずれか１項に記載の少なくとも１つのアダプター；および
処理ユニット、
を備え、ここで、該多目的画像化装置によって捕捉される画像は、保存および／またはさらなる処理のために該処理ユニットに伝送される、多目的画像化システム。
【請求項７６】
前記捕捉された画像の伝送の方法が、データケーブルによるものである、請求項７５に記載の多目的画像化システム。
【請求項７７】
前記捕捉された画像の伝送の方法が、無線伝送によるものである、請求項７５に記載の多目的画像化システム。
【請求項７８】
前記データケーブルが、前記処理ユニットから前記多目的画像化装置へと電力を供給するようにさらに作動可能である、請求項７６に記載の多目的画像化システム。
【請求項７９】
前記システムの構成要素が、予め形成されたケースの構成要素内に受容されるように適合され、該ケースは、前記処理ユニットに電力を供給するようにさらに適合される、請求項７５〜７８のいずれか１項に記載の多目的画像化システム。
【請求項８０】
前記ケースが、バックアップバッテリーによって前記処理ユニットへと電力を供給するようにさらに適合される、請求項７９に記載の多目的画像化システム。
【請求項８１】
前記ケースが、主電源または何らかの他の外部電源への接続によって前記処理ユニットへと電力を供給するように適合される、請求項７９または８０に記載の多目的画像化システム。
【請求項８２】
前記処理ユニットがタブレットＰＣである、請求項７５〜８１のいずれか１項に記載の多目的画像化システム。
【請求項８３】
添付の図面を参照して本明細書中で実質的に記載されるような、多目的画像化装置。
【請求項８４】
添付の図面を参照して本明細書中で実質的に記載されるような、多目的画像化システムのためのアダプター。
【請求項８５】
添付の図面を参照して本明細書中で実質的に記載されるような、多目的画像化システム。
【発明の詳細な説明】
【技術分野】
【０００１】
（発明の分野）
本発明は、多目的画像化装置およびそのためのアダプターに関する。本発明は、眼科学、皮膚科学および耳鼻咽喉科学の医療分野、ならびに歯科学の分野における使用に特に適している。
【０００２】
本明細書全体を通して、文脈が他のことを必要としない限り、語句「含む（ｃｏｍｐｒｉｓｅ）」または「含む（ｃｏｍｐｒｉｓｅｓ）」または「含む（ｃｏｍｐｒｉｓｉｎｇ）」のような変化形は、述べられた整数または整数の群を包含するが、任意の他の整数または整数の群の排除を意味しないことが理解される。
【背景技術】
【０００３】
（背景技術）
発明の背景の以下の議論は、本発明の理解を容易にすることが意図される。しかし、この議論は、言及される任意の文献が刊行されるか、公知であるか、または本出願の優先日当時にオーストラリアで技術常識の一部であったという同意でも容認でもないことが理解されるべきである。
【０００４】
市販の医療診断器械は、一般に、購入するには高価である。僻地または散在した居住地域において、その診断器械を購入する費用は、このような器械の恩恵を人々の数に対して重み付けした場合、採算をとるには非現実的であり得る。このことは、このような器械を介して診断されるために、患者が、遠隔サービス提供者に送ることを意味する。次いで、このことは、患者にとっては、金銭面および厳密には健康面の両方で高価である。
【０００５】
上記の問題が存在しない状況においてすら、このような器械を適切に操作するために必要な専門的知識が欠如しているという問題がなお存在し得る。
【０００６】
ＰＣＴ／ＡＵ０１／００５７０において、その出願人は、散在した居住地域および僻地における使用に特に適合されている携帯式スリットランプを記載する。しかし、その記載された携帯式スリットランプは、その診断性能が制限されている。その携帯式スリットランプは、眼の前区を画像化するための機能を提供するに過ぎない。さらに、その記載された携帯式スリットランプは、操作者がそのデバイスを適切に操作するためにその上に種々のスイッチおよびレバーを備えるそれら自体に習熟する必要がある。
【発明の開示】
【課題を解決するための手段】
【０００７】
（発明の開示）
本出願は、多目的画像化装置およびそのためのアダプターを提供することを追求する。そのアダプターの光学構成は、多目的画像化装置が種々の診断活動を行うことを可能にする。
【０００８】
このようにして、この多目的画像化装置によりサービスを受け得る患者の数は、増加される。同時に、この多目的画像化装置も用途が広いことは、このデバイスの費用が、多くの健康サービス提供者に対して拡散し得るので、このような地域にとって価格的により手頃である。
【０００９】
理想的には、この多目的画像化装置において使用される画像化手段は、デジタルカメラである。デジタル画像は、必要とあれば、迅速な送信または修正を可能にする形態で即時かつ利用可能であるので、デジタルカメラを使用することは好ましい。デジタル画像はまた、取り外し可能倍体に保存され得るので、好ましい。
【００１０】
この多目的画像化装置はまた、単純化した制御構造を備え、この構造によって、アダプターの光学は、制御され得る。この制御のレベルは、アダプター内に備えられる光源の作動を単に制御することを超えて拡大し、このような光源の明るさを制御することを包含する。単純化した制御構造の使用によって、人々が医療専門家として特別に訓練をしなくても、この装置で撮影した画像を医療専門家が使用して、情報に基づく診断を与えることを可能にする様式で、このデバイスを容易に操作することが可能になる。
【００１１】
本発明は、その携帯性に起因してさらなる利点を提供する。これは、多目的画像化システムの種々の構成要素を収納するためのケースを提供すること、およびこの多目的画像化装置を操作者の手で楽に操れるように適合することの両方によって達成した。
【００１２】
多目的画像化装置とともに使用するために設計されたアダプターは、必要な場合、各アダプターを容易に取り外すことが可能なように設計された接続手段である。同時に接続手段は、各アダプターが、使用時には、この多目的画像化装置にしっかりと取り付けられていることを保証するように設計される。
【００１３】
各アダプターは、異なる診断機能を提供するように設計される。本明細書中に記載される発明において、アダプターは、以下の機能を行うために提供される：
・スリットランプ画像を獲得すること；
・赤色反射画像を獲得すること；
・被験体の蛍光を画像化すること；
・涙液膜を画像化すること；
・被験体の眼底の画像を獲得すること；
・歯の画像を獲得すること；
・被験体のｎｉｂｕｔ画像を撮ること；
・耳鏡として機能すること；および
・皮膚科学的画像を獲得すること。
【００１４】
この多目的画像化装置はまた、システムにおける使用に適合される。上記のように、このシステムは、この装置の携帯を容易にするためのケース、ならびに保存および／または撮影した画像のさらなる処理のために必要な処理ユニットを含む。理想的には、このシステムは、多目的画像化装置がその処理ユニットから電力を引き出すことが可能であるので、ＵＳＢまたはＦｉｒｅｗｉｒｅＴＭ接続を介して接続される。しかし、この多目的画像化装置が別個の電源を有するのであれば、無線伝送もまた使用され得る。
【００１５】
処理ユニットおよび多目的画像化装置の組み合わされた電力の引き出しは、その装置の操作時間の制限を生じることが理解されるので、その場合は、バックアップ電源を提供するかまたは外部電源（例えば、主電源）に接続するための手段を提供するように適合され得る。
【００１６】
この処理ユニットは、好ましくは、タブレットＰＣである。このタブレットＰＣの利点は、以下により詳細に記載される。
【発明を実施するための最良の形態】
【００１７】
本発明の第一の局面に従って、アダプター１２を有する多目的画像化装置１０がある。多目的画像化装置１０は、図１〜５を参照して、ここで記載される。  
【００１８】
多目的画像化装置１０は、本体１４からなる。図示される実施形態において、本体１４は、「Ｌ」のような形状である。本体１４の短い方のセクション１６は、ハンドルとして働き、そして本体１４の長い方のセクション１８と比較して、幅Ｗだけ狭い。本体１４の第一の端部２０は、そこに配置されるＩ／Ｏポート２２を有する。本体１４の第二の端部２４は、アダプター１２を受容し、そしてしっかりと保持するように構成される。
【００１９】
第二の端部２４は、凹面２６を有する。レンズ２８が、凹面２６の周りで中心を合わせて配置され、そしてこの面から突出する。凹面２６にはまた、インターフェース接点３０が位置する。図示される実施形態において、インターフェース接点３０は、多目的画像化装置１０が、物体の映像が撮影され得るような配向（本明細書中以下で、「通常配向」と称される）にある場合に、レンズ２８の下方に位置する。凹面２６に隣接して、内側壁３２ａ、３２ｂにおいて、溝３４ａ、３４ｂが位置する。
【００２０】
レンズ２８は、デジタルカメラ３６の一部を形成する。デジタルカメラ３６は、本体１４の長い方のセクション１８に収容される。任意のデジタルカメラが使用され得るが、以下：
・１秒間あたり１５フレーム未満のフレーム速度；および／または
・網膜像上の３０μｍスポットより大きい解像度；および／または
・１ルクス未満の感度
を有するデジタルカメラは、診断目的に適切な画像を生じ得ないかもしれない。
【００２１】
第二の端部２４はまた、側部４０ａおよび側部４０ｂに位置するグリップ３８を有する。グリップ３８の機能は、以下に提供される多目的画像化装置１０の使用の例から容易に明らかであり、従って、ここではさらに議論されない。
【００２２】
短い方のセクション１６および長い方のセクション１８の接合部４２に、複数のユーザコントロール４４が位置する。ユーザコントロール４４は、接合部４２の、通常配向の間にユーザに面する表面に位置付けられる。
【００２３】
ユーザコントロール４４は、２つのＬＥＤ４６ａ、４６ｂ、２つの押しボタン４８ａ、４８ｂ、および２つのゲインコントローラー５０ａ、５０ｂを備える。ユーザコントロール４４は、インターフェース接点３０に電子的に接続され、そしてユーザが、多目的画像化装置１０に取り付けられたアダプター１２の光学的作動および／または電気的作動を調節することを可能にする。このことは、以下でさらに詳細に記載される。
【００２４】
また、接合部４２においてであるが、接合部４２の、ユーザコントロール４４とは反対側の表面に、画像捕捉ボタン５２が位置する。画像捕捉ボタン５２は、デジタルカメラ３６と制御通信する。画像捕捉ボタン５２が押される場合、デジタルカメラ３６は、画像を記録し、この画像は、次に、焦点を合わせられ、そしてメモリ（図示せず）に保存される。
【００２５】
このメモリは、任意の形態を採り得るが、記載される実施形態において、このメモリは、ＣｏｍｐａｃｔＦｌａｓｈＴＭカード（例えば、Ｃａｎｏｎ，Ｉｎｃ．から入手可能なもの）、ＳｏｎｙＴＭメモリースティック（Ｓｏｎｙ  Ｃｏｒｐｏｒａｔｉｏｎ  ｏｆ  Ａｍｅｒｉｃａから入手可能）、またはＳｅｃｕｒｅ  Ｄｉｇｉｔａｌ  Ｍｅｍｏｒｙカード（例えば、Ｈｅｗｌｅｔｔ−Ｐａｃｋａｒｄ  Ｃｏｍｐａｎｙから入手可能なもの）であり得る。選択されるメモリの実際の形態にかかわらず、メモリは、Ｉ／Ｏポート２２内に受信され、そして保持される。メモリは、必要な際に（例えば、メモリがデジタル画像でいっぱいである場合、またはメモリに保存された画像がさらなる処理のために別のデバイスに移動される場合）、Ｉ／Ｏポート２２から取り出され得る。
【００２６】
アダプター１２は、図５〜７に示されるような一般的構造を有し、そしてこの構造が、ここで議論される。各アダプター１２の光学構成要素、電子工学構成要素、および他のあつらえた構成要素が、具体的に記載される。
【００２７】
図５に示されるように、各アダプター１２は、本体１００からなる。本体１００は、形状が実質的に矩形であり、そして後面１０２、２つの側面１０４ａ、１０４ｂ、および前面１０６を有する。
【００２８】
後面１０２は、凹面２６と等しい大きさおよび形状のものである。開口部１０８が、後面１０２の周りで中心をあわせて配置される。開口部１０８は、アダプター１２を通って延び、その結果、開口部１０８もまた、前面１０６の周りで中心を合わせて位置される。開口部１０８に隣接して、インターフェース接点１１０が位置する。
【００２９】
後面１０２に隣接して、２つのスナップクリップ１１２ａ、１１２ｂが位置する。スナップクリップ１１２ａは、側面１０４ａから延び、一方で、スナップクリップ１１２ｂは、側面１０４ｂから延びる。各スナップクリップ１１２は、内部凹部１１４を有し、この凹部は、適切な圧力が付与される場合に、スナップクリップ１１２が開口部１０８の方へと曲がり得るように配置される。スナップクリップ１１２ａ、１１２ｂは、それぞれ、溝３４ａ、３４ｂ内に解放可能に保持されるように適合される。
【００３０】
前面１０６を囲み、そして側面１０４の一部に沿って後面１０２の方へと、ゴム製オーバーモールディング１１６が延びる。ゴム製オーバーモールディング１１６は、各スナップクリップ１１２の部分１１８の部分を覆う。フィンガーグリップ１２０が、ゴム製オーバーモールディング１１６の外面１２２内に、部分１１８に実質的に隣接する位置で形成される。
【００３１】
スナップクリップ１１２が溝３４内で解放可能に保持される場合、以下の状況が存在する：
・開口部１０８が、デジタルカメラ３６の光軸Ｘと整列し、その結果、光軸Ｘの少なくとも一部が、アダプター１２の残りの部分によって妨害されない；
・インターフェース接点１１０が、インターフェース接点３０との接続を形成する；そして
・ゴム製オーバーモールディング１１６の外面１２２が、多目的画像化装置１０の外面と同一面になり、これによって、アダプター１２が画像化装置１０と一体的であるように見せる。
【００３２】
各アダプター１２の光学的構成要素、電子的構成要素、および他のあつらえの構成要素が、ここで記載される。
【００３３】
図８は、スリットランプアダプター１５０の光学および電子光学を示す。
【００３４】
スリットランプアダプター１５０の前面１０６から、２つのスリットランプデバイス１５２ａ、１５２ｂが突出する。両方のスリットランプデバイス１５２は、角度が付けられており、その結果、多目的携帯型画像化装置１０が患者の左目の前で通常配向に保持される場合に、スリットランプデバイス１５２ａがスリットランプとして作動可能であり、一方で、患者の右目の前で通常配向に保持される場合に、スリットランプデバイス１５２ｂがスリットランプとして作動可能である。この多目的画像化装置の操作者は、スリットランプ１５２ａと１５２ｂとのいずれが、以下にさらに詳細に記載される様式で作動可能であるかを選択し得る。
【００３５】
各スリットランプデバイス１５２ａ、１５２ｂは、１対の隣接する固体ランプ１５４ａ、１５４ｂ、および付随する光学１５６を備える。固体ランプ１５４ａ、１５４ｂは、白色ＬＥＤであり、そして一緒に組み合わせられて、光源１５８を形成する。ＬＥＤの使用は、これらのより低い電力要求および熱損失、ならびにこれらの内部に集束する光に起因して、小さい電球より好ましいが、本発明に対して必須ではない。
【００３６】
光源１５８は、２つの重なる光の円錐１６０ａ、１６０ｂを発生させる。重なる光の円錐１６０ａ、１６０ｂは、組和せられて、初期の細長いビーム１６２を形成する。初期の細長いビーム１６２は、構造体１６４ａと１６４ｂとの間に形成された狭いスリット１６６を通過するにつれて、これらの構造体によって横方向にトリミングされる。
【００３７】
狭いスリット１６６の幅は、構造体１６４ａ、１６４ｂのいずれか、または両方の位置を変化させることによって、調節され得る。狭いスリット１６６がより狭くされる場合、眼の前部の光学セクションが見られる。狭いスリット１６６が少し広くされる場合、透明組織のブロックが照射される。狭いスリット１６６は、約０．０８ｍｍの幅であることが好ましい。
【００３８】
狭いスリット１６６から出るビームは、中間ビーム１６８と称される。次いで、中間ビーム１６８は、均一な半円形断面のプリズムレンズ１７２の平坦な面１７０に方向付けられ、平坦な面１７０は、中間ビーム１６８に対して直交する。プリズムレンズ１７２は、中間ビーム１６８を、狭いスリット１６６および細長いビーム１６２と整列するように集束させる。プリズムレンズ１７２はまた、中間ビーム１６８を長手軸方向にトリミングし、光の円錐１６０ａ、１６０ｂの重なりによって形成されるセグメントに対するセグメントに戻す。
【００３９】
プリズムレンズ１７２を通過する光のビームは、光の狭いビーム１７４である。患者の眼の角膜の方へと集束されるものは、光のこの狭いビーム１７４である。
【００４０】
光学１７６は、開口部１０８内にしっかりと受容されて、デジタルカメラ３６が、眼の構造体による光の狭いビーム１７４の反射の画像を捕捉することを容易にする。さらなる光源１７８がまた、前面１０６に配置される。さらなる光源１７８は、角膜のバックグラウンド照射を提供し、これによって、眼の高品質の画像を提供することを補助する。
【００４１】
図９は、赤色反射アダプター２００の光学および電子光学を示す。
【００４２】
このアダプターにおいて、ビームスプリッター２０２が、開口部１０８内に、後面１０２に実質的に隣接する位置で受容される。光源２０４（白色ＬＥＤの形態）が、凹部２０６内で、ビームスプリッター２０２の上方に配置される。光源２０４の、光軸Ｘに対する整列は、これらの間の角度が、ビームスプリッター２０２の位置で測定される場合に、９０°であるような整列である。
【００４３】
この構成において、光源２０４から発光される光は、ビームスプリッター２０２に方向付けられる（凹部２０６が、任意の分散光を吸収する）。ビームスプリッター２０２と接触する際に、光は、いくらかの光が、光軸Ｘに沿って９０°反射されて、患者の眼に直接向かうように、分割される。
【００４４】
ビームスプリッター２０２を通過する光は、記録されるべき画像の一体性を妨害する、所望でない反射を引き起こし得るので、さらなる開口部２０８が、赤色反射アダプター２００内に形成される。さらなる開口部２０８は、開口部１０８を横断する位置で、本体１００を通って延びる。さらなる開口部２０８は、光源２０４と同一面内であり、そして光源２０４と実質的に同じ大きさおよび形状である。この様式で、ビームスプリッター２０２を通過する光は、この光が赤色反射アダプター２００の本体１００に入るまで、さらなる開口部２０８に沿って方向付けられる。
【００４５】
図１０は、蛍光アダプター２５０の光学および電子光学を示す。
【００４６】
蛍光アダプター２５０の光学および電子光学は、２つの青色ダイオード２５２ａ、２５２ｂと、黄色フィルター２５４とを備える。青色ダイオード２５２ａ、２５２ｂは、蛍光アダプター２５０の前面１０６から突出する。黄色フィルター２５４は、光軸Ｘの経路中の開口１０８内に受容される。
【００４７】
この２つの青色ダイオード２５２ａ、２５２ｂは、画像化されるべき眼を一様に照射するために使用される。黄色フィルター２５４は、デジタルカメラ３６に向かうあらゆる反射光を取り除くように作動する。
【００４８】
図１１は、涙液膜アダプター３００の光学および電子光学を示す。
【００４９】
開口端３０４ａ、３０４ｂを有する中空で透明のシリンダー３０２が、開口１０８内に固定的に受容される。このシリンダー３０２は、開口１０８の寸法と同じ寸法であり、その結果、端部３０４ａは、前面１０６と揃い、端部３０４ｂは、背面１０２と揃う。
【００５０】
反射フィルムのシート３０６が、シリンダー３０２の外壁３０８を取り囲む。反射フィルム３０６とシリンダー３０２との組み合わせは、鏡効果を生じる。
【００５１】
複数のＬＥＤ  ３１６が、シリンダー３０２の開放端３０４ａに位置する。ＬＥＤ  ３１６は、端部３０４ａの周辺に沿って等距離に間隔を開けている。ＬＥＤ  ３１６の数（従って、間隔）は、均一な光源を生じるようでなければならない。
【００５２】
図１２は、眼底（ｆｕｎｄｕｓ）アダプター３５０の光学および電子光学を示す。
【００５３】
このアダプターにおいて、ビームスプリッター３５２および二重凸面レンズ３５４が、開口１０８内に受容される。ビームスプリッター３５２は、実質的に隣接する背面１０２である。二重凸面レンズ３５４は、実質的に隣接する前面１０６である。
【００５４】
光源３５６（白色ＬＥＤの形態である）が、凹部３５８中のビームスプリッター３５２の上に位置する。二重凸面レンズ３５４に対する光源３５６の配置は、その間の角度が、ビームスプリッター３５２の位置の尺度として、９０°であるようになっている。
【００５５】
この構成において、光源３５６から放射される光は、ビームスプリッター３５２（あらゆる分散光を吸収する凹部３５８）に向けられる。ビームスプリッター３５２と接触すると、その光は、いくらかの光が二重凸面レンズ３５４へ向かって９０°反射するように、分裂する。その後、その光は、二重凸面レンズ３５４により集束され、その結果、その光は、虹彩および水晶体を貫通して、患者の眼の眼底を表示し得る。残りの光は、ビームスプリッター３５２を通る。
【００５６】
ビームスプリッター３５２を通る光が、記録されるべき眼底の画像の強度に干渉する望ましくない反射を引き起こし得るので、さらなる開口３６０が、眼底アダプター３５０内に形成される。さらなる開口３６０が、開口１０８に対して横切る位置にある本体１００を通って延びる。さらなる開口３６０が、光源３５６と同じ面にあり、そして光源３５６と実質的に同じ大きさおよび形状である。この様式で、ビームスプリッター３５２を通る光は、その光が眼底アダプター３５０の本体１００を出るまで、さらなる開口３６０に沿って方向付けられる。
【００５７】
図１３は、ｎｉｂｕｔアダプター４００の光学および電子光学を示す。
【００５８】
開放端４０４ａ、４０４ｂを有する中空で透明のシリンダー４０２が、開口１０８内に固定的に受容される。このシリンダー４０２は、開口１０８と同じ寸法であり、その結果、端部４０４ａは、前面１０６と揃い、端部４０４ｂは、背面１０２と揃う。
【００５９】
反射フィルム４０６のシートが、シリンダー４０２の外壁４０８を囲む。反射フィルム４０６とシリンダー４０２との組み合わせは、鏡効果を生じる。
【００６０】
透明シート４１０は、シリンダー４０２の内壁４１２を囲む。透明シート４１０は、そのシート上に印刷された格子パターン４１４を有する。
【００６１】
複数のＬＥＤ４１６が、シリンダー４０２の開放端４０４ｂに位置する。ＬＥＤ  ４１６は、端部４０４ｂの周辺に沿って等距離に間隔を開けている。ＬＥＤ  ４１６の数（従って、間隔）は、均一な光源を生じるようでなければならない。
【００６２】
図１４は、歯科用アダプター４５０の平面図を示す。
【００６３】
歯科用アダプター４５０は、２つの光源４５２ａ、４５２ｂと、２つの角度の付いた開口４５４ａ、４５４ｂとを備える。光源４５２ａおよび４５２ｂは、開口１０８に対して反対の位置で、前面１０６から突出する。角度の付いた開口４５４ａ、４５４ｂは、これもまた開口１０８に対して反対の位置で、光源４５２ａ、４５２ｂの位置と整列して、歯科用アダプター４５０の本体１００を通って延びる。従って、角度の付いた開口４５４ａは、光源４５２ａに対応し、角度の付いた４５４ｂは、光源４５２ｂに対応する。
【００６４】
角度の付いた４５４ａ、４５４ｂは、各々、歯科鏡４５６を受容するように各々適合される。開口４５４ａ、４５４ｂの大きさは、歯科鏡４５６が、中に堅く保持されるようになっているが、歯科鏡４５６が、滑動可能に調節された位置を有し得る程度である。
【００６５】
示される実施形態において、前面１０６に対する角度の付いた４５４ａ、４５４ｂの角度は、８３°である。しかし、角度の付いた４５４ａ、４５４ｂの角度は、そのような開口４５４と、その個別の光源４５２との間の距離によって、決定される。精巧にするために、その角度は、光源４５２が、対応する角度の付いた開口４５４内に保持された歯科鏡４５６の鏡位置４５８に光を向けるようであるべきである。
【００６６】
図１５ａおよび１５ｂは、耳鏡アダプター５００の光学および電子光学を示す。
【００６７】
耳鏡アダプター５００は、レンズ５０２、光源５０４、集束手段５０６および耳栓５０８を備える。
【００６８】
レンズ５０２は、前面１０６に実質的に近接するが前面１０６から間隔を空けた位置にて、開口１０８内に固定的に受容される。光源５０４（ＬＥＤの形態）が、レンズ５０２と前面１０６との間の開口１０８の領域内に位置する。光源５０４の方向付けは、下記に記載される。
【００６９】
示される実施形態において、集束手段５０６は、レンズスライダー５１０の形態を採る。レンズスライダー５１０の回転は、ビデオカメラ３６とレンズ５０２との間の距離を調節し、それによって、レンズ５０２の焦点を調節する。
【００７０】
耳栓５０８は、耳鏡アダプターの前面１０６上に受容されるように調節される。耳栓５０８は、端部５１２に小さい開口を有する標準的な携帯型耳鏡において使用される耳栓と同一である。
【００７１】
光源５０４は、開口１０８の周辺に向かって配置され、そしてその光源からの光が、端部５１２の小さい開口部を通って出るように方向付けられる。
【００７２】
図１６は、皮膚科用アダプター５５０の光学および電子光学を示す。
【００７３】
開放端５５４ａ、５５４ｂを有する中空で透明のシリンダー５５２が、開口１０８内に固定的に受容される。このシリンダー５５２は、開口１０８と同じ寸法であり、その結果、端部５５４ａは、前面１０６と揃い、端部５５４ｂは、背面１０２と揃う。
【００７４】
反射フィルム５５６のシートが、シリンダー５５２の外壁５５８を囲む。反射フィルム５５６とシリンダー５５２との組み合わせは、鏡効果を生じる。
【００７５】
複数のＬＥＤ５６０が、シリンダー５５２の開放端５５４ａに位置する。ＬＥＤ  ５６０は、端部５５４ａの周辺に沿って等距離に間隔を開けている。ＬＥＤ  ５６０の数（従って、間隔）は、均一な光源を生じるようでなければならない。
【００７６】
シリンダー５５２の開放端５５４ａにまた、拡大レンズ５６２も位置する。示される実施形態において、拡大レンズ５６２は、画像化されるべき領域を１０倍拡大する。しかし、種々の拡大比の拡大レンズ５６２が、使用され得る。
【００７７】
本発明の第２の局面に従って、同様の数字が同様の部分を参照する場合、多目的画像化システム６００が存在する。この多目的画像化システム６００は、本発明の第１局面に記載されるような、多目的画像化装置１０および各アダプター１２、ならびに処理ユニット６０２を備える。上記の構成要素１０、１２、６０２の各々は、ケース６０６の予め形成された区画６０４内に受容される。これにより、整然としかつ効率的な様式で、多目的画像化システム６００の構成要素がある位置から別の位置へと輸送されるのが可能になる。
【００７８】
図１７に示される本発明の第２の局面の実施形態において、多目的画像化装置１０が、上記の装置から改変されている。Ｉ／Ｏポート２２内に受容されるメモリの代わりに、Ｉ／Ｏポート２２が、ＵＳＢケーブル６０８の一端を受容するように適合される。ＵＳＢケーブル６０８のもう一方の端部は、処理ユニット６０２に接続される。
【００７９】
ＵＳＢケーブル６０８を受容するように多目的画像化装置１０を改変することは、重要ではあるが必須というわけではない、設計の利点である。特に、ＵＳＢ接続により、データを、多目的画像化装置１０から高移動速度で処理ユニット６０２へと移動することが可能である。さらに、ＵＳＢ接続により、多目的画像化装置１０が、処理ユニット６０２から電力を引き出し、それによって別個の電源の必要性を打ち消すことが可能になる。
【００８０】
示される実施形態において、処理ユニット６０２は、タブレットＰＣ  ６１０の形態を採る。タブレットＰＣ  ６１０は、回転点６１２の周囲を回転することによって、その予め形成された区画６０４から上昇するように適合される。
【００８１】
タブレットＰＣ  ６１０の選択は、ノートブックまたはデスクトップコンピューターに優先して、このシステムに対してさらなる設計的利点を提供する。特に、タブレットＰＣ  ６１０は、頑丈であり、使用し易く、データは、キーボートではなくスタイレット６１４を通して入力可能である。同時に、タブレットＰＣは、音声入力命令のために準備される。現在のタブレットＰＣのハードウェア構成もまた、意図される目的のために十分である。タブレットＰＣの低重量局面および大きな高解像度スクリーンサイズもまた、別個の利点である。
【００８２】
ケース６０６は、組み込み型電力変圧器６１６を有する。電力変圧器６１６は、ケーブル６１８を介してタブレットＰＣ  ６０８に電力を提供する。使用を容易にするために、電力変圧器６１６は、ケース６０６の側壁６２２中に組み込まれた電力接続６２０を有する。示される実施形態における電力接続６２０は、標準的な３ピン電力ケーブルを受容するように適合される（示されず）。電力接続６２０はまた、電力変圧器６１６をオンまたはオフにするための、電力スイッチ６２４を備える。
【００８３】
タブレットＰＣ６０８に電力を提供することに加えて、電力変圧器６１６が、ケース６０６中に組み込まれるバッテリー（示さず）に接続される。このバッテリーは、必要な場合タブレットＰＣ６０８にさらなる電力を提供する。
【００８４】
多目的画像化装置１０の使用が、上記の多目的画像化システム６００の文脈において記載される。
【００８５】
ケース６０６が開かれて、多目的画像化装置１０、アダプター１２およびタブレットＰＣ６１０を明らかにする。次いで、タブレットＰＣ６１０は、操作者が使用のために快適であると見出す位置にこれが達するまで、旋回点６１２の周りを旋回される。その後、多目的画像化装置１０は、ＵＳＢケーブル６０８を介してタブレットＰＣ６１０に接続される。
【００８６】
上に述べられるように、ＵＳＢケーブル６０８の使用は、多目的画像化装置１０に電力を提供する。タブレットＰＣ６１０が、１つの充填されたバッテリーを有し、外部電力源から電力を引き込んでいない場合、多目的画像化システム６００は、１時間から２時間の間の時間の間作動可能であると予期される。より長い時間作動可能である多目的画像化システム６００のために、主電源または電源の他の形態への接続を行い、またはケース６０６の一部を形成するバッテリーを利用することが、推薦される。前者の推薦に関して、これは、標準的３ピン電力ケーブル（示さず）の一端を電力接続６２０中に挿入し、そしてもう一方の端を主電源または代替電源中に挿入することにより達成され得る。未だ接続されていない場合、次いで、ケーブル６１８は、タブレットＰＣ６１０の電力接続中に受容されなければならず、電力スイッチ６２４が、オンに設定される。
【００８７】
ここで、上に記載された順序で、アダプター１２の各々についての考察がなされる。しかし、これは、例示的な目的のみのために行なわれることが、当業者によって理解されるべきである。
【００８８】
スリットランプアダプター１５０が、スナップクリップ１１２が溝３４に係合するまでアダプター１２に力をかけることにより、多目的画像化装置１０に接続される。この方法は、図５および６で例示される。
【００８９】
次いで、多目的画像化装置１０が、スリットランプデバイス１５２が患者の目の前に直接保持されるレベルおよび位置に持ち上げられる。操作者の快適さを促すために、操作者はグリップ３８のまわりで多目的デジタル画像化装置１０をつかみ得る。
【００９０】
スリットランプデバイス１５２が、患者の右目の前に直接保持される場合、操作者は、押しボタン４８ａを押す。このアダプター１２の文脈において、押しボタン４８ａを押すことによりスリットランプデバイス１５２ｂおよびさらなる光源１７８は作動される。これはまた、ＬＥＤ４６ａを点灯させ、それにより操作者に、多目的画像化装置１０が患者の右目を画像化するように設定されていることを知らせる。
【００９１】
スリットランプデバイス１５２ｂの作動は、上で与えられた光学的配置の記載に従ってそこから伸びる光の細いビーム１７４を生じる。次いで、多目的画像化装置１０の操作は、通常のスリットランプが操作されていた場合そうであるのと同じ様式で続く。
【００９２】
画像捕捉ボタン５２を押すことにより、デジタルカメラ３６に、目の構造によって光の細いビーム１７４の反射の像を捕捉させ、この像は、多目的画像化装置１０から直接見られる実質的なスリット画像そのものである。次いで、この画像が、保存および／またはさらなる処理のために、ＵＳＢケーブル６０８を介してタブレットＰＣ６１０にダウンロードされる。
【００９３】
操作者が、例えば患者の虹彩が青もしくは茶色または他のより暗い色である状態で、光源１５８により作り出される光の明るさを変える必要がある場合、これは、ゲインコントローラー５０ａの適切な操作により達成され得る。操作者がさらなる光源１７８により作製される光の明るさを変え、それによりバックルラウンド照射のレベルを調節する必要がある場合、これは、ゲインコントローラー５０ｂの適切な操作により達成され得る。
【００９４】
スリットランプデバイス１５２が、患者の左目の前に直接保持される場合、操作者は、押しボタン４８ｂを押す。このアダプター１２の文脈において、押しボタン４８ｂを押すことにより、スリットランプデバイス１５２ａおよびさらなる光源１７８を作動させる。これはまた、ＬＥＤ４６ｂを点灯させ、それにより操作者に、多目的画像化装置１０が患者の左目を画像化するよう設定されていることを知らせる。
【００９５】
スリットランプデバイス１５２ａの作動は、上で与えられた光学的配置の記載に従ってそこから伸びる光の細いビーム１７４を生じる。次いで、多目的画像化装置１０の操作は、通常のスリットランプが操作されていた場合そうであるのと同じ様式で続く。
【００９６】
画像捕捉ボタン５２を押すことにより、デジタルカメラ３６に、目の構造によって光の細いビーム１７４の反射の像を捕捉させ、この像は、多目的画像化装置１０から直接見られる実質的なスリット画像そのものである。次いで、この画像が、保存および／またはさらなる処理のために、ＵＳＢケーブル６０８を介してタブレットＰＣ６１０にダウンロードされる。
【００９７】
操作者が、例えば患者の虹彩が青もしくは茶色または他のより暗い色である状態で、光源１５８により作り出される光の明るさを変える必要がある場合、これは、ゲインコントローラー５０ｂの適切な操作により達成され得る。操作者がさらなる光源１７８により作製される光の明るさを変え、それによりバックルラウンド照射のレベルを調節する必要がある場合、これは、ゲインコントローラー５０ａの適切な操作により達成され得る。
【００９８】
ただ１つのスリットランプデバイス１５２が、常に操作され得ることが、注目されるべきである。従って、スリットランプデバイス１５２ｂが作動される場合、押しボタン４８ａを押すことによりスリットデバイス１５２ｂを作動しないように操作される。同様に、スリットランプデバイス１５２ｂが作動される場合、押しボタン４８ｂを押すことによりスリットデバイス１５２ａを作動しないように操作される。次いで、ＬＥＤ４６ａ、４６ｂのただ１つが、多目的画像化装置１０の新しい操作様式に適切なように点灯される。
【００９９】
次いで、スリットランプアダプター１５０の除去が、フィンガークリップ１２０に圧力を加え、その結果スナップクリップ１１２が開口１０８に向かってその各々の内部の凹部１１４中に移動することにより、達成される。この移動は、スナップクリップ１１２を溝３４から脱係合させる。次いで、スリットランプアダプター１５０が、容易に除去され得る。
【０１００】
スリットランプアダプター１５０が除去されると、赤色反射アダプター２００が、多目的画像化装置１０に接続され得る。赤色反射アダプター２００の接続が、スリットランプアダプター２００を接続させるための上記のような同じ手順の後に続く。
【０１０１】
一旦接続されると、次いで、多目的画像化装置１０は、デジタルカメラ３６の光軸に沿って移動する光が患者の目に向けられるようなレベルおよび位置に持ち上げられる。
【０１０２】
押しボタン４８ｂを押すことにより、光源２０４の作動がトグルされる。光源２０４が作動される場合、ＬＥＤ４６ｂが点灯される。スリットランプアダプター１５０と一緒に、光源２０４の明るさが、ゲインコントローラー５０ｂの適切な操作によって制御され得る。
【０１０３】
次いで、多目的画像化装置１０の操作が、通常の赤色反射生成デバイスが操作される場合そうであるのと同じ様式で続く。画像捕捉ボタン５２を押すことにより、デジタルカメラ３６に赤色反射画像を捕捉させる。次いで、この画像が、保存および／またはさらなる処理のためにＵＳＢケーブル６０８を介してタブレットＰＣ６１０にダウンロードされる。
【０１０４】
目の背部から赤色反射画像を得るために、光軸Ｘに沿って移動する光が、中心光軸から離れた患者の目に向けられることが、推薦される。理想的には、このような光の方向についての角度は、５°から２０°の間である。
【０１０５】
一旦全ての所望される赤色反射画像が捕捉されると、赤色反射アダプター２００が、蛍光アダプター２５０で置換される。アダプター１２を取り除き、かつ別のアダプター１２を接続させる手順は、上に記載されており、再び繰り返されない。
【０１０６】
この構成での多目的画像化装置１０の使用の前に、蛍光色素が、患者の眼内に投入される。
【０１０７】
次いで、多目的画像化装置１０が、作動される場合、青色ダイオード２５２が、画像化される患者の目中に投影される蛍光色素を照射するようなレベルおよび状態に、持ち上げられる。
【０１０８】
押しボタン４８ｂを押すことにより、青色ダイオード２５２の作動がトグルされる。青色ダイオード２５２が作動される場合、ＬＥＤ４６ｂが点灯される。スリットランプアダプター１５０と一緒に、青色ダイオード２５２の明るさが、ゲインコントローラー５０ｂの適切な操作によって制御され得る。
【０１０９】
次いで、多目的画像化装置１０の操作が、通常の蛍光画像化デバイスが操作される場合そうであるのと同じ様式で続く。画像捕捉ボタン５２を押すことにより、デジタルカメラ３６に色素の蛍光の画像を捕捉させる。黄色フィルター２５４の配置は、画像に、その画像に対してわずかに黄色を帯びさせるが、上に記載されるように、これは、あらゆる反射光を遮断するのを助ける。次いで、この画像が、保存および／またはさらなる処理のためにＵＳＢケーブル６０８を介してタブレットＰＣ６１０にダウンロードされる。
【０１１０】
一旦全ての所望される蛍光画像が捕捉されると、蛍光アダプター２５０が、涙液膜アダプター３００で置換される。
【０１１１】
多目的画像化装置１０に接続される涙液膜アダプター３００を有する多目的画像化装置１０が、デジタルカメラ３６の光軸Ｘに沿って移動する光が患者の目に向けられるようなレベルおよび位置に持ち上げられる。
【０１１２】
押しボタン４８ｂを押すことにより、ＬＥＤ３１６の作動がトグルされる。ＬＥＤ３１６が作動される場合、ＬＥＤ４６ｂが点灯される。スリットランプアダプター１５０と一緒に、ＬＥＤ３１６の明るさが、ゲインコントローラー５０ｂの適切な操作によって制御され得る。
【０１１３】
次いで、多目的画像化装置１０の操作が、通常の涙液膜分析器が操作される場合そうであるのと同じ様式で続く。画像捕捉ボタン５２を押すことにより、デジタルカメラ３６に涙液膜の画像を捕捉させる。次いで、この画像が、保存および／またはさらなる処理のためにＵＳＢケーブル６０８を介してタブレットＰＣ６１０にダウンロードされる。
【０１１４】
一旦、全ての必要とされる涙液膜画像が、捕捉されると、涙液膜アダプター３００が、眼底アダプター３５０と置換される。
【０１１５】
次いで、多目的画像化装置１０を、デジタルカメラ３６の光軸Ｘに沿って進む光が、患者の眼に向けられるレベルおよび位置に上昇させる。
【０１１６】
押しボタン４８ｂを押すことによって、光源３５６の作動をトグルする。光源３５６が作動する場合、ＬＥＤ４６ｂが光る。スリットランプアダプター１５０とともに、光源３５６の明るさは、ゲインコントローラー５０ｂの適切な操作によって制御され得る。
【０１１７】
次いで、多目的画像化装置１０の操作を、通常の眼底カメラが操作される様式と同じ様式で進める。画像捕捉ボタン５２を押すことによって、デジタルカメラ３６が、眼底の画像を捕捉する。次いで、この画像を、保存および／またはさらなる処理のためにＵＳＢケーブル６０８を介してタブレットＰＣ６１０にダウンロードする。
【０１１８】
一旦、眼の眼底の全ての必要とされる画像が、捕捉されると、眼底アダプター３５０は、ｎｉｂｕｔアダプター４００で置換される。
【０１１９】
多目的画像化装置１０を、デジタルカメラ３６の光軸Ｘに沿って進む光が、患者の眼に向けられるレベルおよび位置に上昇させる。
【０１２０】
押しボタン４８ｂを押すことによって、ＬＥＤ４１６の作動をトグルする。ＬＥＤ４１６が作動する場合、ＬＥＤ４６ｂが光る。スリットランプアダプター１５０とともに、ＬＥＤ４１６の明るさは、ゲインコントローラー５０ｂの適切な操作によって制御され得る。
【０１２１】
ＬＥＤ４１６の作動によって、一連の円形格子配置が、眼に形成される。次いで、この格子が、眼の異常または他の目的の点の位置に対する参照として使用され得る。
【０１２２】
画像捕捉ボタン５２を押すことによって、デジタルカメラ３６が、円形格子配置を用いて完全な眼の画像を捕捉する。次いで、画像を、保存および／またはさらなる処理のためにＵＳＢケーブル６０８を介してタブレットＰＣ６１０にダウンロードする。
【０１２３】
一旦、ｎｉｂｕｔアダプター４００に必要とされる全ての画像が、捕捉されると、ｎｉｂｕｔアダプター４００は、歯科アダプター４５０で置換される。
【０１２４】
歯科アダプター４５０を取り付けた後に、滅菌歯科鏡４５６を、最も適切な操作および活動が実行されるように、角度の付いた開口４５４ａまたは４５４ｂのいずれかに挿入される。
【０１２５】
押しボタン４８ｂを押すことによって、そこに受容される歯科鏡４５６を有する角度の付いた開口４５４と対応する光源４５２の作動をトグルする。光源４５２が作動する場合、ＬＥＤ４６ｂが光る。スリットランプアダプター１５０とともに、光源４５２の明るさは、ゲインコントローラー５０ｂの適切な操作によって制御され得る。
【０１２６】
光源４５２が作動する場合、光源４５２は、光を歯科鏡４５６の鏡部分（ここで、光が反射する）上に光を向ける。次いで、操作者が、この反射した光を使用して、それ以外では容易に見ることができない口の領域を見ることができる。図１４から明らかではないが、歯科鏡４５６の鏡部分は、デジタルカメラ３６の光軸Ｘ内にあり、操作者が、画像捕捉ボタン５２を押したときに、歯科鏡４５６を使用して見える口の任意の領域の画像を捕捉し得る。次いで、捕捉された画像を、保存および／またはさらなる処理のためにＵＳＢケーブル６０８を介してタブレットＰＣにダウンロードする。
【０１２７】
一旦、全ての歯科画像が捕捉されると、歯科アダプター４５０は、耳鏡（ｏｔｏｌｏｓｃｏｐｅ）アダプター５００で置換される。歯科鏡４５６はまた、歯科アダプターから取り外され、後の使用のために滅菌される。
【０１２８】
耳鏡アダプター５００を取り付けた後に、耳栓５０８が、その前面１０６に取り付けられる。次いで、耳鏡アダプター５００は、耳栓５０８が患者の耳内に挿入されるように、位置付けられる。
【０１２９】
押しボタン４８ｂを押すことによって、ＬＥＤ５０４の作動をトグルする。ＬＥＤ５０４が作動する場合、ＬＥＤ４６ｂが光る。スリットランプアダプター１５０とともに、ＬＥＤ５０４の明るさは、ゲインコントローラー５０ｂの適切な操作によって制御され得る。
【０１３０】
ＬＥＤ５０４が作動する場合、ＬＥＤ５０４は、端部５１２における小さな開口部を通って患者の耳内に光を向ける。耳栓５０８の患者の耳内への挿入の深さが患者間で変化するので、操作者は、適切な様式でレンズスライダー５１０を操作することによって、デジタルカメラ３６に提供される画像を集束し得る。
【０１３１】
画像捕捉ボタン５２を押すことによって、患者の耳の画像は、デジタルカメラ３６によって捕捉される。次いで、捕捉された画像を、保存および／またはさらなる処理のためにＵＳＢケーブル６０８を介してタブレットＰＣ６１０にダウンロードする。
【０１３２】
一旦、患者の耳の全ての必要とされる画像が捕捉されると、耳鏡アダプター５００は、皮膚科学アダプター５５０で置換される。耳栓５０８は、耳鏡５００から取り除かれ、廃棄される。
【０１３３】
次いで、多目的画像化装置１０は、皮膚科学アダプター５５０の前面１０６が画像化されることが求められる患者の領域に当接するように、位置付けられる。
【０１３４】
押しボタン４８ｂを押すことによって、ＬＥＤ５６０の作動をトグルする。ＬＥＤ５６０が作動する場合、ＬＥＤ４６ｂが光る。スリットランプアダプター１５０とともに、ＬＥＤ５６０の明るさは、ゲインコントローラー５０ｂの適切な操作によって制御され得る。
【０１３５】
その後、操作者は、患者の皮膚に沿って、多目的画像化装置１０を自由に移動させる。画像捕捉ボタン５２を押すことによって、デジタルカメラ３６が、拡大レンズ５６２に起因して、１０倍の拡大で、皮膚の画像を捕捉する。次いで、画像を、保存および／またはさらなる処理のためにＵＳＢケーブル６０８を介してタブレットＰＣ６１０にダウンロードする。
【０１３６】
全ての皮膚科学画像が捕捉されると、皮膚科学アダプター５５０の前面が、多目的画像化装置１０から取り除かれる前に、任意の夾雑物を除去するために、拭かれる。次いで、多目的画像化装置１０およびアダプター１２を、それぞれの予め成型された区画６０４内に置換する。
【０１３７】
ユーザコントロール４４が、右利き操作者のために便利であるように、記載されていることが、上記記載から注記されるべきである。しかし、ユーザコントロール４４は、例えば、タブレットＰＣ６１０からアップロードされるソフトウェアにおける変化によって、左利き操作者に適応させるように逆転され得る。さらに、スリットランプアダプター１５０が取り付けられた多目的画像化装置１０を除いて、使用されるセットのコントロールの選択は、画像化される眼のタブレットＰＣ６１０に表示され得る。精巧にするために、押しボタン４８ａおよびゲインコントローラー５０ａの使用は、患者の右眼が画像化されていることをタブレットＰＣ６１０に表示し、一方、押しボタン４８ｂおよびゲインコントローラー５０ｂの使用は、患者の左眼が画像化されていることをタブレットＰＣ６１０に表示する。
【０１３８】
スリットランプアダプター１５０の代替の配置において、スリットランプデバイス１５２は、多目的装置１０の通常の操作に対して、水平および／または垂直の角度調節を可能にする様式で装着され得る。
【０１３９】
蛍光アダプター２５０の代替の配置において、青色ダイオード２５２ａ、２５２ｂは、代替の光源および青色フィルター配置で置換され得る。さらに、蛍光アダプター２５０は、より多いまたはより少ない青色ダイオード２５２で構成され得る。
【０１４０】
第２の実施形態の代替の配置において、ユーザコントロール４４に加えて、声の指令が、操作者によって、タブレットＰＣ６１０に与えられ得、タブレットＰＣ６１０は、このような指令（例えば、画像の捕捉など）を実行するように操作可能である。ケース６０８はまた、操作の間、患者の頭の正確な位置付けを可能にするために、その中に組み込まれたヘッドセット装置を有し得る。さらに、ＩｒＤＡキーボードが、ケース６０６の蓋内に構築され得る。
【０１４１】
第２の実施形態のなおさらなる代替の配置において、ＵＳＢ接続は、ＦｉｒｅｗｉｒｅＴＭ接続で置換され得る。あるいは、物理的接続の全ての形態は、省略され得、多目的処理装置１０は、無線手段を介して、タブレットＰＣ６１０と連絡し得る。
【０１４２】
上記実施形態およびアダプターに対する変更および改変が、本発明の範囲内に入ることは、当業者によって理解されるべきはずである。特に、
本体１４の「Ｌ」型配置は、「Ｔ」型配置で置換され得る；
より短い部分１６は、直角の方向で、操作者に向かう角度になるように、配置され得る；
複数のインターフェース接続３０、１１０が存在し得る；
スナップクリップ１１２および関連する溝３４は、他の位置に位置付けられ得る；
デジタルカメラ３６は、フィルムベースのカメラで置換され得、ネガフィルムをデジタル化するための手段が使用されて、撮られた画像が、処理ユニット６０２によってさらに保存または処理され得る。
【図面の簡単な説明】
【０１４３】
本発明は、ここで、添付の図面を参照して、例示によってのみ記載される。
【図１】図１は、多目的画像化装置とこれに取り付けられたアダプターの等角図である。
【図２】図２は、図１の多目的画像化装置の正面側の等角図である。
【図３】図３は、図１の多目的画像化装置の背面側の等角図である。
【図４】図４は、図１の多目的画像化装置の正面等角図である。
【図５】図５は、多目的アダプターおよび図１の多目的画像化装置の一部の正面図である。
【図６】図６は、図５の多目的アダプターの背面側の図である。
【図７】図７は、図５にも示される多目的画像化装置の一部に取り付けられた図５の多目的アダプターの断面図である。
【図８】図８は、スリットランプアダプターの光学および電子工学の模式図である。
【図９】図９は、赤色反射アダプターの光学および電子工学の模式図である。
【図１０】図１０は、蛍光アダプターの光学および電子工学の模式図である。
【図１１】図１１は、涙液膜アダプターの光学および電子工学の模式図である。
【図１２】図１２は、眼底アダプターの光学および電子工学の模式図である。
【図１３】図１３は、ｎｉｂｕｔアダプターの光学および電子工学の模式図である。
【図１４】図１４は、歯科アダプターの平面図である。
【図１５】図１５ａは、耳鏡アダプターの光学および電子工学の平面模式図である。図１５ｂは、図１５ａに示される耳鏡アダプターの光学および電子工学の側面図である。
【図１６】図１６は、皮膚科学的アダプターの光学および電子工学の模式図である。
【図１７】図１７は、多目的画像化システムを形成する構成要素の正面側の等角図である。
【図１】
2005524462.tif 000003
【図５】
2005524462.tif 000004
【図６】
2005524462.tif 000005
【図７】
2005524462.tif 000006
【図８】
2005524462.tif 000007
【図９】
2005524462.tif 000008
【図１０】
2005524462.tif 000009
【図１１】
2005524462.tif 000010
【図１２】
2005524462.tif 000011
【図１３】
2005524462.tif 000012
【図１４】
2005524462.tif 000013
【図１５】
2005524462.tif 000014
【図１６】
2005524462.tif 000015
【図１７】
2005524462.tif 000016
【国際調査報告】
2005524462.tif 000017
2005524462.tif 000018
2005524462.tif 000019